(57)【要約】【課題】送風機を逆回転してフィルタに付着した塵埃を吹き飛ばす場合、店舗内に塵埃が飛散することのない冷却装置を提供する。【解決手段】機械室の吸気穴に連続して該機械室１００内にフィルタ１０２、熱交換器１５及び送風機１０１を配置し、該送風機の駆動により前記吸気穴から取り込んだ空気を利用して前記熱交換器１５で熱交換する一方、所定のタイミングで前記送風機１０１を逆回転して前記フィルタ１０２に付着した塵埃を除去する構成を備え、前記吸気穴と前記フィルタ１０２間には前記送風機１０１の逆回転時にフィルタから除去した除塵を回収する塵埃回収機構１０５を備えた。【選択図】図３
2008209087.tif 000002
【特許請求の範囲】
【請求項１】
機械室の吸気穴に連続して該機械室内にフィルタ、熱交換器及び送風機を配置し、該送風機の駆動により前記吸気穴から取り込んだ空気を利用して前記熱交換器で熱交換する一方、所定のタイミングで前記送風機を逆回転して前記フィルタに付着した塵埃を除去する構成を備え、前記吸気穴と前記フィルタ間には前記送風機の逆回転時にフィルタから除去した除塵を回収する塵埃回収機構を備えたことを特徴とする冷却装置。
【請求項２】
前記塵埃回収機構が、前記送風機の逆回転時に切換えられて、前記フィルタから除去した除塵を前記吸気穴以外の方向に導く風路切換手段を備えたことを特徴とする請求項１に記載の冷却装置。
【請求項３】
前記塵埃回収機構が、前記送風機の逆回転時に前記フィルタの前面に繰り出されて、前記フィルタから除去した除塵を除去するスクリーンフィルタ機構を備えたことを特徴とする請求項１に記載の冷却装置。
【発明の詳細な説明】
【技術分野】
【０００１】
本発明は、機械室の吸気穴に連続して該機械室内にフィルタ、熱交換器及び送風機を配置し、所定のタイミングで送風機を逆回転してフィルタに付着した塵埃を除去する構成を備えた冷却装置に関する。
【背景技術】
【０００２】
スーパーマーケットやコンビニエンスストアでは、販売される食品等（例えば、精肉、鮮魚、冷凍食品、アイスクリーム等）を購買者が容易に手に取ることができるように前面側を開口させたショーケースが見受けられる。このようなショーケースでは、例えばケース本体の下側部分に機械室を備え、機械室内には、当該機械室の吸気穴に連続してフィルタ、熱交換器及び送風機、更に圧縮機等を配置している。
ところで、長時間運転の後には、フィルタに塵埃が目詰まりし、熱交換性能の低下を来すため、従来、１日１回程度のタイミングで送風機を逆回転してフィルタに付着した塵埃を除去する構成を備えたものが提案されている（特許文献１）。
【特許文献１】特開２０００−１２３２３８
【発明の開示】
【発明が解決しようとする課題】
【０００３】
しかしながら、従来のように、送風機を逆回転してフィルタに付着した塵埃を吹き飛ばす構成とした場合には、スーパーマーケットやコンビニエンスストア等では、店舗内に塵埃が飛散する恐れがある。
【０００４】
そこで、本発明の目的は、上述した従来の技術が有する課題を解消し、送風機を逆回転してフィルタに付着した塵埃を吹き飛ばす場合、店舗内に塵埃が飛散することのない冷却装置を提供することにある。
【課題を解決するための手段】
【０００５】
本発明は、機械室の吸気穴に連続して該機械室内にフィルタ、熱交換器及び送風機を配置し、該送風機の駆動により前記吸気穴から取り込んだ空気を利用して前記熱交換器で熱交換する一方、所定のタイミングで前記送風機を逆回転して前記フィルタに付着した塵埃を除去する構成を備え、前記吸気穴と前記フィルタ間には前記送風機の逆回転時にフィルタから除去した除塵を回収する塵埃回収機構を備えたことを特徴とする。
本発明では、吸気穴とフィルタ間には送風機の逆回転時にフィルタから除去した除塵を回収する塵埃回収機構を備えたため、送風機を逆回転してフィルタに付着した塵埃を吹き飛ばす場合、該塵埃が塵埃回収機構で回収される。
【０００６】
この場合、前記塵埃回収機構が、前記送風機の逆回転時に切換えられて、前記フィルタから除去した除塵を前記吸気穴以外の方向に導く風路切換手段を備えていてもよく、前記送風機の逆回転時に前記フィルタの前面に繰り出されて、前記フィルタから除去した除塵を除去するスクリーンフィルタ機構を備えていてもよい。
【発明の効果】
【０００７】
本発明では、送風機の逆回転時にフィルタから除去した除塵を回収する塵埃回収機構を備えたため、送風機を逆回転してフィルタに付着した塵埃を吹き飛ばす場合、該塵埃が塵埃回収機構で回収され、該塵埃が、例えばスーパーマーケットやコンビニエンスストア等の店舗内に飛散することがない。
【発明を実施するための最良の形態】
【０００８】
以下、本発明の一実施の形態に係るショーケースについて、図面を参照しながら説明する。図１は、本発明の実施の形態に係るショーケースを前方斜め右側から見た斜視図である。また、図２は、ショーケースの正面図であって、内壁部を一部切り欠いて示したものである。図３は、図２のＡ−Ａ線で切断した側部断面図を示す。なお、以下の本実施の形態で説明のために使用する方向は、図２を基準として、紙面上下方向をショーケースの上下方向、紙面左右方向をショーケースの左右方向、紙面奥行き方向をショーケースの前後方向とする。
【０００９】
本実施例で説明するショーケース１は、図１に示すように、前面が開放された多段オープン型のものである。このショーケース１は、図１〜図３（特に図３）に示すように、外側を構成するショーケース本体３と、このショーケース本体３の内部に設けられた略コ字形状の断熱壁部４と、この断熱壁部４のコ字形状の内側に設けられた内壁部５と、この内壁部５に取り付けられた４つの陳列棚６とを備えている。
【００１０】
断熱壁部４と内壁部５との間には、図３に示すように、冷気が送流されるダクト７が形成されており、このダクト７の内部には、空気を冷却するための冷却器８（蒸発器）と、この冷却器８の下方に配置され、冷却器８に向けて上方へ空気（冷気）を送る送風機９とが配置されている。
また、ショーケース１の上側には、図３に示すように、ダクト７の上側端部と接続された冷気吹出口１０が形成される一方、下側には、ダクト７の下側端部と接続された冷気吸込口１１が形成されている。これにより、送風機９で送られた空気が冷却器８で冷却された後に上側へ送流され、冷気吹出口１０から陳列棚６の付近へ放出される一方、陳列棚６の付近の冷気は、冷気吸込口１１からダクト７内へ吸い込まれ、再び送風機９で冷却器８へ送流されるようになっている。この空気循環の流れを、図３に矢印１２で示す。
【００１１】
ショーケース１の下側部分における断熱壁部４の下方には、図３に示すように、機械室１００が設けられ、この機械室１００には、上述した冷却器８と冷媒管１３を介して接続される圧縮機１４、熱交換器（ガスクーラ）１５などが配設されており、これらによって冷媒回路が構成されている。１０１は送風機であり、１０２は熱交換器１５の前面に配置された空気を清浄化するフィルタである。上記熱交換器１５は、図１及び図２に示す前面パネル１６の吸気穴１６ａから取り込んだ外気によって冷却される。熱交換後の空気は、ショーケース本体３と断熱壁部４との間を通過して上方の排出口１７から外部へ排出されることになる。この外部空気の流れを、図３に矢印１８で示す。
【００１２】
冷却器８、圧縮機１４、熱交換器１５等で構成される本実施の形態における冷媒回路では、高圧側が超臨界サイクルとなるＣＯ2冷媒が用いられている。このＣＯ2冷媒が送流される冷媒管１３は、一般的な冷媒（例えば、ＣＣｌ2Ｆ2など）を用いた回路で使用される冷媒管よりも管径の小さいものが使用されている。
【００１３】
本構成では、前面パネル１６の吸気穴１６ａに連続して、上記機械室１００内には、上流側から風路切換手段（塵埃回収機構）１０５、フィルタ１０２、熱交換器１５、送風機１０１の順に配置されている。送風機１０１はＤＣファンモータにより駆動する。風路切換手段１０５は、一対のダンパ１０７，１０８を備え、上のダンパ１０７は支点１０７ａを中心に回動し、下のダンパ１０８は支点１０８ａを中心に回動する。これらダンパ１０７，１０８は同期して回動し、図３に示す通常の状態では、ダンパ１０７，１０８が共に開いた状態であり、送風機１０１の駆動により、吸気穴１６ａから取り込んだ空気が、フィルタ１０２、熱交換器１５の順に流れ、矢印１８の空気流れを形成する。また、下のダンパ１０８の下方に対応した底板には開口（図示せず）が形成され、該開口には集塵フィルタ１０９が配設される。集塵フィルタ１０９はショーケース前面の挿入口から挿入し、前面側に引き出し自在に構成される。
【００１４】
本実施の形態では、所定のタイミングで、例えば１日１回、閉店時、深夜、お客のいない時間帯等の除霜運転時に、数分間継続して、送風機１０１を逆回転し、フィルタ１０２に付着した塵埃を前面側に吹き飛ばす。送風機１０１の逆回転時には、一対のダンパ１０７，１０８が回動し、図４に示すように、ダンパ１０７，１０８が一列をなし、フィルタ１０２の前方を斜めに閉塞する。これによれば、フィルタ１０２の前面側に吹き飛ばされた、フィルタ１０２に付着していた塵埃が、一列となったダンパ１０７，１０８に当たって、飛散の方向を下方に変えて、底板の開口（図示せず）に設けた集塵フィルタ１０９に捕集される。上記のタイミングでフィルタ清掃を行えば、送風機１０１の逆回転により仮に埃が出たとしても、お客に影響がでることがなく、除霜運転中に実施すれば、冷却性能に悪影響を及ぼすこともない。
【００１５】
本実施の形態では、吸気穴１６ａとフィルタ１０２との間に、送風機１０１の逆回転時に、フィルタ１０２から除去した除塵を回収する塵埃回収機構１０５，１０９を備えているため、フィルタ１０２に付着した塵埃を吹き飛ばす場合に、該塵埃が前面パネル１６の吸気穴１６ａからスーパーマーケットやコンビニエンスストア等の店舗内に飛散するようなことがない。
【００１６】
図５は、別の実施の形態を示す。
この実施の形態では、吸気穴１６ａとフィルタ１０２との間に、スクリーンフィルタ機構１１１が配置される。スクリーンフィルタ機構１１１は、送風機１０１の逆回転時に、フィルタ１０２の前面に繰り出されて、フィルタ１０２から除去した除塵を除去するものであり、図６及び図７に示すように構成されている。
【００１７】
即ち、スクリーンフィルタ機構１１１は、上下に配置した軸１１２，１１３間に、開口部１１４ａ及びフィルタ部１１４ｂを有したフィルタ素材１１４を無端状に備える。上の駆動軸１１２にはモータ１１５が連結され、モータ１１５の駆動によりフィルタ素材１１４が上下方向にスライド移動する。
図６は、通常状態であり、この状態では、フィルタ１０２に対しフィルタ素材１１４の開口部１１４ａが対応し、即ち、スクリーンフィルタ機構１１１が開口し、送風機１０１の駆動により、吸気穴１６ａから取り込んだ空気が、フィルタ１０２、熱交換器１５の順に流れ、図５の矢印１８の空気流れを形成する。
【００１８】
これに対し、塵芥処理運転では、上記と同様のタイミングで送風機１０１が逆回転し、フィルタ１０２に付着した塵埃を前面側に吹き飛ばす。送風機１０１の逆回転時には、モータ１１５が駆動され、駆動軸１１２が矢印Ａで示す方向に回転し、図７に示すように、フィルタ素材１１４のフィルタ部１１４ｂが下方向にスライド移動して、フィルタ１０２の前面を覆う。
この構成では、送風機１０１の逆回転により、フィルタ１０２の前面側に吹き飛ばされた、フィルタ１０２に付着していた塵埃が、フィルタ素材１１４のフィルタ部１１４ｂに当たり、すべて該フィルタ部１１４ｂに捕集される。
【００１９】
更に、別の実施の形態を説明する。
一般に、前面パネル１６の吸気穴１６ａには、上記フィルタ１０２とは別に、板状のフィルタが配置されている。
本実施の形態では、板状のフィルタが取り除かれ、吸気穴１６ａとフィルタ１０２との間に、図８に示すように、上記構成のスクリーンフィルタ機構１１１が配置される。図示の状態では、フィルタ素材１１４のフィルタ部１１４ｂが前面パネル１６の吸気穴１６ａに対向し、板状のフィルタの機能を果たす。送風機１０１の逆回転時には、モータ１１５が駆動され、駆動軸１１２が矢印Ｂで示す方向に回転し、図７に示すように、フィルタ部１１４ｂがフィルタ１０２の前面側に繰り出され、上方向にスライド移動して、フィルタ１０２の前面を覆う。
【００２０】
本実施の形態では、通常運転時に、フィルタ素材１１４のフィルタ部１１４ｂが、従来の板状のフィルタの機能を果たし、送風機１０１の逆回転時には、図７に示すように、フィルタ部１１４ｂがフィルタ１０２の前面を覆うため、送風機１０１の逆回転により吹き飛ばされた塵埃が、フィルタ素材１１４のフィルタ部１１４ｂに当たり、すべて該フィルタ部１１４ｂに捕集される。
本構成では、従来の板状のフィルタが不要になると共に、フィルタ部１１４ｂの集塵面が、通常の運転でも、塵埃処理運転でも送風方向に対向して同一となり、掃除が一度で済むという効果が得られる。
【００２１】
以上、本発明を実施するための最良の形態について述べたが、本発明は既述の実施形態に限定されるものではなく、本発明の技術思想に基づいて各種の変形および変更が可能である。上記構成では、冷媒回路を構成する圧縮機１４、熱交換器１５等をショーケース１の内部に設けているが、ショーケース１の内部に冷却器８を設置することができれば、圧縮機１４、熱交換器１５等を外部に別置きにしてもかまわない。これにより、ショーケース１の外形寸法を小さくし、省スペースを図ることもできる。また、上記構成は、ショーケース１で説明したが、本発明は、冷蔵庫、自動販売機、コンデンシングユニットなど、あらゆる冷却装置に適用可能である。
【図面の簡単な説明】
【００２２】
【図１】本発明の実施の形態に係るショーケースを前方斜め右側から見た斜視図である。
【図２】本発明の実施の形態に係るショーケースの正面図であって、内壁部を一部切り欠いて示したものである。
【図３】図２のＡ−Ａ線で切断した側部断面図である。
【図４】一対のダンパが閉じた状態を示す図３相当図である。
【図５】別の実施形態を示す図３相当図である。
【図６】スクリーンフィルタ機構を示す斜視図である。
【図７】同じくスクリーンフィルタ機構を示す斜視図である。
【図８】別の実施の形態を示すスクリーンフィルタ機構を示す斜視図である。
【符号の説明】
【００２３】
１  ショーケース
１４  圧縮機
１５  熱交換器
１６  前面パネル
１６ａ  吸気穴
１００  機械室
１０１  送風機
１０２  フィルタ
１０５  風路切換手段（塵埃回収機構）
１０７，１０８  ダンパ
１０９  集塵フィルタ
１１１  スクリーンフィルタ機構
１１４  フィルタ素材
１１５  モータ
【図１】
2008209087.tif 000003
【図２】
2008209087.tif 000004
【図３】
2008209087.tif 000005
【図４】
2008209087.tif 000006
【図５】
2008209087.tif 000007
【図６】
2008209087.tif 000008
【図７】
2008209087.tif 000009
【図８】
2008209087.tif 000010